(57)【要約】【課題】より簡素な構成でモータの軸に毛髪が絡まるのを防止することのできる送風装置を提供する。【解決手段】ファン５には、モータ７の出力軸７ａを支持する軸受部５ａが突設されているとともに、モータ７を支持する整流翼２５には、モータ７の出力軸７ａを覆うリブ２６が設けられており、前記リブ２６は、毛髪を巻き付かせることが可能な毛髪巻付部２６ａを備え、前記軸受部５ａと前記毛髪巻付部２６ａとを出力軸７ａの軸方向にオーバーラップさせた。【選択図】図２
2010125134.tif 000002
【特許請求の範囲】
【請求項１】
吸入口と吐出口を有する本体部の内部に送風部が設けられた送風装置であって、
前記送風部は、ファンと、当該ファンを回転駆動する出力軸を有したモータと、当該モータを支持する整流翼と、当該整流翼に設けられて前記モータの出力軸を覆うリブと、を備え、
前記ファンには、前記出力軸を支持する軸受部が突設されているとともに、前記リブには、毛髪を巻き付かせることが可能な毛髪巻付部が設けられており、
前記軸受部と前記毛髪巻付部とが前記出力軸の軸方向にオーバーラップしていることを特徴とする送風装置。
【請求項２】
前記毛髪巻付部の前記ファン側の端部には、フランジ部が外方に向けて延設されていることを特徴とする請求項１に記載の送風装置。
【請求項３】
前記フランジ部と前記ファンとの軸方向のクリアランスが１ミリメートル以下であることを特徴とする請求項２に記載の送風装置。
【請求項４】
吸入口と吐出口を有する本体部の内部に送風部が設けられた送風装置であって、
前記送風部は、ファンと、当該ファンを回転駆動する出力軸を有したモータと、当該モータを支持する整流翼と、当該整流翼に設けられて前記モータの出力軸を覆うリブと、を備え、
前記ファンには、前記出力軸を支持する軸受部が突設されているとともに、当該軸受部を囲う外壁部が設けられており、
前記リブには、毛髪を巻き付かせることが可能な毛髪巻付部が設けられているとともに、当該毛髪巻付部が前記軸受部の周壁部に沿って延在するように設けられ、
前記外壁部には、当該外壁部から前記リブの毛髪巻付部に向けて延在する突出片が設けられていることを特徴とする送風装置。
【請求項５】
前記突出片の前記軸受部側の端部と前記リブとのクリアランスが１ミリメートル以下であることを特徴とする請求項４に記載の送風装置。
【請求項６】
前記毛髪巻付部の前記ファン側の端部には、フランジ部が外方に向けて延設されており、当該フランジ部が前記突出片よりも前記軸受部の基端側に設けられていることを特徴とする請求項４または請求項５に記載の送風装置。
【発明の詳細な説明】
【技術分野】
【０００１】
本発明は、例えばヘアドライヤなどの送風装置に関し、詳細には、空気と共に内部に吸い込まれてしまう毛髪がモータの軸に絡まることを防ぐための技術に関する。
【背景技術】
【０００２】
従来より、吸入口と送風ファンとの間に、当該送風ファンとは別の空転軸を有した羽根車を配設することで、吸入口から吸い込まれた毛髪をこの羽根車あるいは空転軸に未然に巻き付かせて、モータの軸に毛髪が絡まるのを防止したものが知られている（例えば、特許文献１参照）。
【特許文献１】実開平５−８８４０４号公報
【発明の開示】
【発明が解決しようとする課題】
【０００３】
しかしながら、上記従来技術では、送風ファンとは別に羽根車を設ける構成としているため、構造が複雑化してしまうとともに、コストが嵩んでしまうという問題があった。
【０００４】
そこで、本発明は、より簡素な構成でモータの軸に毛髪が絡まるのを防止することのできる送風装置を提供することを目的とする。
【課題を解決するための手段】
【０００５】
請求項１に記載の発明は、吸入口と吐出口を有する本体部の内部に送風部が設けられた送風装置であって、前記送風部は、ファンと、当該ファンを回転駆動する出力軸を有したモータと、当該モータを支持する整流翼と、当該整流翼に設けられて前記モータの出力軸を覆うリブと、を備え、前記ファンには、前記出力軸を支持する軸受部が突設されているとともに、前記リブには、毛髪を巻き付かせることが可能な毛髪巻付部が設けられており、前記軸受部と前記毛髪巻付部とが前記出力軸の軸方向にオーバーラップしていることを特徴とする。
【０００６】
請求項２に記載の発明は、請求項１に記載の送風装置であって、前記毛髪巻付部の前記ファン側の端部には、フランジ部が外方に向けて延設されていることを特徴とする。
【０００７】
請求項３に記載の発明は、請求項２に記載の送風装置であって、前記フランジ部と前記ファンとの軸方向のクリアランスが１ミリメートル以下であることを特徴とする。
【０００８】
請求項４に記載の発明は、吸入口と吐出口を有する本体部の内部に送風部が設けられた送風装置であって、前記送風部は、ファンと、当該ファンを回転駆動する出力軸を有したモータと、当該モータを支持する整流翼と、当該整流翼に設けられて前記モータの出力軸を覆うリブと、を備え、前記ファンには、前記出力軸を支持する軸受部が突設されているとともに、当該軸受部を囲う外壁部が設けられており、前記リブには、毛髪を巻き付かせることが可能な毛髪巻付部が設けられているとともに、当該毛髪巻付部が前記軸受部の周壁部に沿って延在するように設けられ、前記外壁部には、当該外壁部から前記リブの毛髪巻付部に向けて延在する突出片が設けられていることを特徴とする。
【０００９】
請求項５に記載の発明は、請求項４に記載の送風装置であって、前記突出片の前記軸受部側の端部と前記リブとのクリアランスが１ミリメートル以下であることを特徴とする。
【００１０】
請求項６に記載の発明は、請求項４または請求項５に記載の送風装置であって、前記毛髪巻付部の前記ファン側の端部には、フランジ部が外方に向けて延設されており、当該フランジ部が前記突出片よりも前記軸受部の基端側に設けられていることを特徴とする。
【発明の効果】
【００１１】
請求項１の発明によれば、整流翼に設けられてモータの出力軸を覆うとともに、毛髪を巻き付かせることが可能な毛髪巻付部が設けられたリブを利用するため、ファンとは別に羽根車を設ける構成と比べて、より簡素な構成でモータの軸に毛髪が絡まるのを防止することができる。
【００１２】
また、ファンの軸受部とリブの毛髪巻付部とを出力軸の軸方向にオーバーラップさせるようにすることで、毛髪巻付部を軸方向に長くすることができるため、リブの毛髪を巻き付けることのできる範囲を広げることができる。
【００１３】
請求項２の発明によれば、毛髪巻付部のファン側の端部にフランジ部が外方に向けて延設されているため、毛髪がモータの出力軸に浸入するのを防ぐことができ、これによりモータの軸に毛髪が絡まるのを防止することができる。
【００１４】
請求項３の発明によれば、フランジ部とファンとの軸方向のクリアランスが１ミリメートル以下であるため、毛髪がモータの出力軸に浸入するのをより確実に防ぐことができる。
【００１５】
請求項４の発明によれば、リブの毛髪巻付部がファンの軸受部の周壁部に沿って延在しおり、ファンの外壁部には、当該外壁部からリブの毛髪巻付部に向けて延在する突出片が設けられているため、ファンとは別に羽根車を設ける構成と比べて、より簡素な構成でモータの軸に毛髪が絡まるのを防止することができる。
【００１６】
請求項５の発明によれば、突出片の軸受部側の端部とリブとのクリアランスが１ミリメートル以下であるため、毛髪がモータの出力軸に浸入するのを防ぐことができ、これによりモータの軸に毛髪が絡まるのを防止することができる。
【００１７】
請求項６の発明によれば、毛髪巻付部のファン側の端部には、フランジ部が外方に向けて延設され、当該フランジ部が突出片よりも軸受部の基端側に設けられているため、突出片とフランジ部とでラビリンス構造を作り出すことができ、これによりモータの出力軸に毛髪が浸入するのをより確実に防ぐことができる。
【発明を実施するための最良の形態】
【００１８】
以下、本発明の好適な実施形態について図面を参照しながら説明する。なお、以下の複数の実施形態には同様の構成要素が含まれている。よって、以下では、それら同様の構成要素に共通の符号を付与するとともに、重複する説明を省略する。
【００１９】
［第１実施形態］
図１は、本実施形態にかかる送風装置としてのヘアドライヤの側面図、図２は、ヘアドライヤの断面図、図３は、ヘアドライヤを吐出口側から見た正面図である。
【００２０】
本実施形態にかかる送風装置としてのヘアドライヤ１は、使用者が手で握る部分としての把持部１ａと、把持部１ａと交差する方向に結合された本体部１ｂと、本体部１ｂの内部に配設される送風部２とを備えており、使用時には把持部１ａと本体部１ｂとで略Ｔ字状あるいは略Ｌ字状（本実施形態では略Ｔ字状）の外観を呈するように構成されている。把持部１ａの突出端部からは、電源コード１２が引き出されている。また、把持部１ａは、本体部１ｂ側の根元部１ｃと先端部１ｄとに分割されており、これら根元部１ｃと先端部１ｄとが、連結部１ｅを介して回動可能に連結されている。先端部１ｄは、本体部１ｂに沿う位置まで折り畳むことができるようになっている。
【００２１】
ヘアドライヤ１の外壁をなすケース３は、複数の分割体を継ぎ合わせて構成されている。ケース３の内部には空洞が形成されており、この空洞内に、各種電気部品が収容されている。
【００２２】
本体部１ｂの内部には、その長手方向（図１の左右方向）の一方側（右側）の入口開口４ａ（吸入口）から出口開口４ｂ（吐出口）に至る風洞４が形成されており、この風洞４内に収容された送風部２のファン５を回転させることによって空気流Ｗが形成される。すなわち、空気流Ｗは、外部から入口開口４ａを介して風洞４内に流入し、当該風洞４内を通って出口開口４ｂから外部に排出される。
【００２３】
また、本体部１ｂにおいて、ケース３の外筒３ａの内部には、略円筒状の内筒６が設けられており、空気流Ｗはこの内筒６の内側を流れるようになっている。内筒６の内側では、最も上流側にファン５が配置され、その下流側にファン５を回転駆動する出力軸７ａを有したモータ７が配置され、モータ７のさらに下流側に加熱機構としてのヒータ８が配置されている。ヒータ８は、本体部１ｂに設けられたスイッチ２３により動作モードを切り換えることができるようになっており、ヒータ８を作動させたときには、出口開口４ｂから加熱された温風が吹き出され、ヒータ８を作動させないときには、出口開口４ｂからそのままの冷風が吹き出される。なお、本実施形態では、ヒータ８は、帯状かつ波板状の電気抵抗体を内筒６の内周に沿って巻回して配置したものとして構成されているが、かかる構成には限定されない。
【００２４】
また、内筒６の上流側には、モータ７を支持する整流翼２５が設けられている。この整流翼２５は、略円筒状の筒状部２５ｅと当該筒状部２５ｅから内方に突設される翼部２５ｄを介して筒状部２５ｅに支持されるモータ支持部２５ａとを備えており、図２に示すように、筒状部２５ｅの下流側の端部を内筒６の上流側の端部に係合させることで、内筒６に連続して空気流Ｗの流れる風洞４を形成している。
【００２５】
モータ支持部２５ａは、略円形状に形成される底壁２５ｂと当該底壁２５ｂの外周からモータ７の出力軸７ａの軸方向に向けて延設される周壁２５ｃとを備えた断面略コの字状に形成されている。筒状部２５ｅから突設された翼部２５ｄは、モータ支持部２５ａの周壁２５ｃに結合されており、入口開口４ａを介して流入される空気流Ｗの流量を低下させないように、周方向に適宜間隔を空けて複数（本実施形態では等間隔に３つ）配置されている。また、底壁２５ｂの略中央部分には、モータ７の出力軸７ａを挿通させる孔２５ｆが設けられており、モータ７は当該モータ７の出力軸７ａをこの孔２５ｆから露出させるように周壁２５ｃの奥まで差し込まれて嵌着される。
【００２６】
さらに、本実施形態の整流翼２５には、モータ支持部２５ａの底壁２５ｂから延設されてモータ７の出力軸７ａを覆うリブ２６が設けられている。このリブ２６は、モータ７の出力軸７ａに毛髪が絡まるのを防止するためのもので、略円筒状に形成されて毛髪を巻き付かせることが可能な毛髪巻付部２６ａを備えている。
【００２７】
ここで、本実施形態では、この毛髪巻付部２６ａをファン５に突設して設けられた軸受部５ａの周壁部５ｂに沿って延在させて、軸受部５ａと毛髪巻付部２６ａとを出力軸７ａの軸方向にオーバーラップさせるようにした。毛髪巻付部２６ａは、ファン５の回転に支障がない範囲でオーバーラップさせることが好ましく、本実施形態では、毛髪巻付部２６ａを軸受部５ａに対して軸方向で７ミリメートルオーバーラップさせている。
【００２８】
このように本実施形態では、モータ７を支持する整流翼２５には略円筒状に形成されるリブ２６の毛髪巻付部２６ａが設けられているため、モータ７の出力軸７ａに毛髪が絡まるのを防止することができるとともに、軸受部５ａと毛髪巻付部２６ａとを出力軸７ａの軸方向にオーバーラップさせているため、毛髪巻付部２６ａを軸方向に長くとることができ、これによりリブ２６の毛髪を巻き付けることのできる範囲を広くすることができる。
【００２９】
また、毛髪巻付部２６ａのファン５側の端部には、軸受部５ａを囲うファン５の外壁部５ｃに向けて外方に延設されるフランジ部２６ｂが設けられている。本実施形態では、このフランジ部２６ｂが周方向に複数分散して設けられており、フランジ部２６ｂとファン５とのクリアランスが０．５ミリメートル、フランジ部２６ｂの外壁部５ｃ側の端部と外壁部５ｃとのクリアランスが０．３ミリメートルとなるように形成されている。
【００３０】
このように本実施形態では、モータ７の出力軸７ａを覆うリブ２６は、毛髪巻付部２６ａのファン５側の端部から外方に延設されるフランジ部２６ｂを備えているため、毛髪がモータ７の出力軸７ａに浸入するのを防ぐことができる。そして、これによりモータ７の出力軸７ａに毛髪が絡まるのを防止することができ、結果として、ヘアドライヤ１の寿命を長くすることができる。
【００３１】
また、本実施形態では、内筒６は、筒状部６ａと、筒状部６ａから径方向外側に向けて伸びて周方向に分散して配置された複数の支持リブ６ｂ（図１では一箇所のみ図示）と、支持リブ６ｂを介して筒状部６ａに接続され当該筒状部６ａの軸方向と略直交する方向に張り出すフランジ部６ｃと、を有している。筒状部６ａとフランジ部６ｃとの間には間隙ｇ１が形成されており、この間隙ｇ１を介して空洞９内に空気流Ｗの一部が分岐されて流入し、分岐流Ｗｐが形成されている。なお、分岐流Ｗｐの空洞９内への導入口となる間隙ｇ１は、ファン５の下流でありかつヒータ８の上流側となる位置に設けられている。したがって、分岐流Ｗｐは、ヒータ８によって加熱される前の、比較的冷たい空気流となる。  
また、本体部１ｂ内で、ケース３と内筒６との間に形成された空洞９には、金属微粒子生成部１０や図示せぬミスト生成部等が収容されている。図３に示すように、ケース３には、空洞９の出口開口４ｂ側となる位置に、楕円形の貫通孔３ｂが形成されており、この貫通孔３ｂを塞ぐ絶縁性のカバー２０に、金属微粒子排出口２０ａとミスト排出口２０ｂとが形成されている。
【００３２】
金属微粒子生成部１０とミスト生成部は、把持部１ａの根本部１ｃに設けられたスイッチ１８等により動作モードを切り換えることができるようになっている。なお、把持部１ａの先端部１ｄに設けられたスイッチ１９は、電源のＯＮとＯＦＦとを切り換えるスイッチである。
【００３３】
本実施形態では、金属微粒子生成部１０およびミスト生成部ともに、イオンを発生させるイオン発生部に相当するものである。なお、ミスト生成部としては、水を加熱してスチームを発生させるスチーム発生機構を搭載してもよいし、金属微粒子生成部としては、金属の溶液を霧化して金属微粒子を生成する金属溶液霧化機構を搭載してもよい。
【００３４】
また、本実施形態では、図３に示すように、金属微粒子排出口２０ａの孔径を、ミスト排出口２０ｂの孔径より小さくしてある。すなわち、ミスト排出口２０ｂを介してのミスト生成部のメンテナンスや状態の確認等をより容易に行わせるとともに、金属微粒子排出口２０ａを介しての手指や道具等の誤進入を抑制してある。
【００３５】
さらに、本実施形態にかかるヘアドライヤ１は、発光部２１を備えている。発光部２１は、空洞９内に配置されたＬＥＤ（発光ダイオード）等の光源２１ａと、光源２１ａの光を導光するアクリル等の透光性を有する合成樹脂材料で形成される導光部材２１ｂと、を有している。図３に示すように、カバー２０の、金属微粒子排出口２０ａとミスト排出口２０ｂとの間には、縦長の長円状の孔２０ｃが形成されており、導光部材２１ｂの光源２１ａと反対側の出射端部２１ｃが、この孔２０ｃに嵌挿されて、カバー２０の外に露出している。したがって、光源２１ａの光は導光部材２１ｂによって導光され、出射端部２１ｃからカバー２０の外に出射される。かかる構成では、ヘアドライヤ１の使用時には、出射端部２１ｃが使用者の頭部に対向して配置されることになる。
【００３６】
この発光部２１は、ヘアドライヤ１の動作モードの表示手段として利用することができる。例えば、ヒータ８を使用していて温風が吹き出されている状態では赤色、ヒータ８を使用せず冷風が吹き出されている状態では緑色、金属微粒子生成部１０が稼動していて金属微粒子が放出されている状態では黄色、ミスト生成部が稼動していてミストが放出されている状態では青色、など、動作状態に応じて色を変化させるようにすることができる。この場合、各色に対応する光源２１ａが複数実装され、制御回路がこれら複数の光源２１ａの発光を制御することになる。なお、制御回路によって光源２１ａを点滅させたり、その点滅間隔を制御したり、発光強度を変化させたりすることも可能であり、これら発光形態を、種々の動作モードに対応づけて設定することも可能である。
【００３７】
また、発光部２１からの光によって、人体に所定の効果を与えることも可能である。例えば、光源２１ａとして波長４１５［ｎｍ］の高輝度ＬＥＤを用いた場合には、当該光源２１ａから出射される青色光により、細菌の破壊による殺菌効果や、毛孔の縮小や皮脂の分泌低下等によるざ瘡（にきび）の予防効果などが得られることが確認されている。また、光源２１ａとして波長６３０［ｎｍ］程度の高輝度ＬＥＤを用いた場合には、当該光源２１ａから出射される赤色光により、血行促進、血管新生による新陳代謝の活性、コラーゲンやエラスチンの生成を促進するなどの効果が得られることが確認されている。さらに、赤色光の照射回数を重ねた場合には、小じわ、しみ、くすみ、開大毛孔などの光老化皮膚やざ瘡後の瘢痕の改善に有効であることが確認されている。なお、これらの効果は、人によって異なるものとなる。
【００３８】
さらに、発光部２１を、金属微粒子生成部１０あるいはミスト生成部を照らす照射手段として利用することができる。こうすれば、金属微粒子生成部１０やミスト生成部の状態を視認しやすくなるとともに、掃除等のメンテナンスを行う場合にも視認性が高まって作業効率が向上するという効果が得られる。
【００３９】
以上、説明したように、本実施形態では、入口開口４ａ（吸入口）と出口開口４ｂ（吐出口）を有する本体部１ｂの内部に送風部２が設けられた送風装置としてのヘアドライヤ１において、送風部２は、ファン５と、当該ファン５を回転駆動する出力軸７ａを有したモータ７と、当該モータ７を支持する整流翼２５と、当該整流翼２５に設けられるリブ２６と、を備えており、前記リブ２６は、モータ７の出力軸７ａを覆うとともに、毛髪を巻き付かせることが可能な毛髪巻付部２６ａを備えているため、ファン５とは別に羽根車を設ける構成と比べて、より簡素な構成でモータ７の出力軸７ａに毛髪が絡まるのを防止することができる。
【００４０】
また、ファン５の軸受部５ａとリブ２６の毛髪巻付部２６ａとを出力軸７ａの軸方向にオーバーラップさせるようにすることで、毛髪巻付部２６ａを軸方向に長くとることができるため、リブ２６の毛髪を巻き付けることのできる範囲を広げることができる。
【００４１】
また、本実施形態では、毛髪巻付部２６ａのファン５側の端部にフランジ部２６ｂが外方に向けて延設されているため、毛髪がモータ７の出力軸７ａに浸入するのを防ぐことができ、これによりモータ７の出力軸７ａに毛髪が絡まるのを防止することができる。
【００４２】
また、本実施形態では、フランジ部２６ｂとファン５との軸方向のクリアランスが１ミリメートル以下であるため、毛髪がモータ７の出力軸７ａに浸入するのをより確実に防ぐことができる。
【００４３】
［第２実施形態］
次に、本発明の第２の実施形態について図面を参照して説明する。図４は、本実施形態にかかる送風装置としてのヘアドライヤの断面図である。
【００４４】
本実施形態にかかる送風装置としてのヘアドライヤ１００は、送風部２のファン５Ａの構造が上記第１実施形態のファン５に対して異なるものである。
【００４５】
具体的には、本実施形態のファン５Ａは、軸受部５ａを囲う外壁部５ｃに当該外壁部５ｃからリブ２６の毛髪巻付部２６ａに向けて延在する突出片５ｄが設けられている。
【００４６】
入口開口４ａを介してファン５の隙間から浸入してくる毛髪はどうしても防ぎようがないため、上記第１実施形態では、出力軸７ａを覆うリブ２６の毛髪巻付部２６ａをファン５の軸受部５ａに対してオーバーラップさせることで、浸入してきた毛髪をより多く巻き付かせてメンテナンスの回数を低減させるという目的であったものに対して、本実施形態では、この突出片５ｂを設けることで、モータ７の出力軸７ａに毛髪が浸入するのをより確実に防止することを目的としている。
【００４７】
突出片５ｄは、外壁部５ｃの出口開口４ｂ側端部から毛髪巻付部２６ａに向けて延在しており、本実施形態では、突出片５ｂの軸受部５ａ側の端部とリブ２６の毛髪巻付部２６ａとのクリアランスが０．３ミリメートルとされている。
【００４８】
突出片５ｄは、例えば外壁部５ｃに溶着などの手段で結合されており、周方向に複数分散して配置されるフランジ部２６ｂの隙間を通過させて、これら突出片５ｄとフランジ部２６ｂとを対向して配置させることができる。また、このとき、本実施形態では、フランジ部２６ｂを突出片５ｄよりも軸受部５ａの基端側に配置するようにしている。
【００４９】
このように本実施形態では、リブ２６の毛髪巻付部２６ａがファン５の軸受部５ａの周壁部５ｂに沿って延在しおり、ファン５の外壁部５ｃには、当該外壁部５ｃからリブ２６の毛髪巻付部２６ａに向けて延在する突出片５ｄが設けられているため、ファン５とは別に羽根車を設ける構成と比べて、より簡素な構成でモータ７の出力軸７ａに毛髪が絡まるのを防止することができる。
【００５０】
また、突出片５ｄの軸受部５ａ側の端部とリブ２６の毛髪巻付部２６ａとのクリアランスが１ミリメートル以下であるため、毛髪がモータ７の出力軸７ａに浸入するのを防ぐことができ、これによりモータ７の出力軸７ａに毛髪が絡まるのを防止することができる。
【００５１】
さらに、本実施形態では、リブ２６のフランジ部２６ｂが突出片５ｄよりも軸受部５ａの基端側に設けられているため、突出片５ｄとフランジ部２６ｂとでラビリンス構造を作り出すことができ、これによりモータ７の出力軸７ａに毛髪が浸入するのをより確実に防ぐことができる。
【００５２】
以上、本発明の好適な実施形態について説明したが、本発明は上記実施形態には限定されず、種々の変形が可能である。例えば、本実施形態では、ファンの外壁部をモータの出力軸の軸方向に沿って延在させているが、外壁部を入口開口側から出口開口側に向けて拡径するテーパ形状にすることも可能である。このように外壁部をテーパ形状とすることで、入口開口から浸入してくる毛髪をスムーズに風洞の下流側に流すことができ、これによりモータの出力軸に毛髪が絡まるのをさらに防止することができる。
【図面の簡単な説明】
【００５３】
【図１】本発明の第１実施形態にかかる送風装置の側面図である。
【図２】本発明の第１実施形態にかかる送風装置の断面図である。
【図３】本発明の第１実施形態にかかる送風装置の正面図である。
【図４】本発明の第２実施形態にかかる送風装置の断面図である。
【符号の説明】
【００５４】
１，    １００  ヘアドライヤ（送風装置）
１ｂ        本体部
２          送風部
４ａ        入口開口（吸入口）
４ｄ        出口開口（吐出口）
５，５Ａ    ファン
５ａ        軸受部
７          モータ
７ａ        出力軸
２５        整流翼
２６        リブ
２６ａ      毛髪巻付部
【図１】
2010125134.tif 000003
【図２】
2010125134.tif 000004
【図３】
2010125134.tif 000005
【図４】
2010125134.tif 000006